【手続補正書】
【提出日】平成16年2月12日(2004.2.12)
【手続補正１】
【補正対象書類名】明細書
【補正対象項目名】全文
【補正方法】変更
【補正の内容】
【発明の名称】ジョイントボックス
【特許請求の範囲】
【請求項１】内側に、複数の電線における結線部分と、結線束と、電線ケーブルの外装部分の一部分とを真っ直ぐな状態のまま収納できるような空間を備える細長い形状のボックスには、それの一端に上記結線束を挿入する為の口開部を設けると共に、他端には、結線束が挿入された状態のボックスを縦長状態で造営材に結び付け、又は、掛け止め可能にする為の吊り手を備えさせ、さらに上記ボックスにおける上記一端の口開部と、上記他端の吊り手との間の周囲には結線束が挿入された状態のボックスを横長状態で造営材に結び付け、又は、掛け止め可能にする為の吊り手を備えさせ、
さらに上記口開部よりも少し奥部で上記電線ケーブルの外装部分の一部分を位置させる箇所の周壁には、収納する上記電線の外装部分の一部分を結線バンドを用いて周壁内面に締め付け定着させる為に上記結線バンド挿通用の結束長孔を設けていることを特徴とするジョイントボックス。
【請求項２】上記ボックスは口開部のある一端と、吊り手のある他端とを結ぶ方向に割れ目を有する右半ボックスと、左半ボックスの二つの半ボックスを一対にし、上記二つの半ボックスの割れ目をそこに備えさせる掛け具と止め具を用いて合着することにより上記ボックスを構成していることを特徴とする請求項１記載のジョイントボックス。
【請求項３】内側に、複数の電線における結線部分と、結線束と、電線ケーブルの外装部分の一部分とを真っ直ぐな状態のまま収納できるような空間を備える細長い形状のボックスには、それの一端に上記結線束を挿入する為の口開部を設けると共に、他端には、結線束が挿入された状態のボックスを縦長状態で造営材に結び付ける為の複数の吊り孔を有する吊り手を備えさせ、上記ボックスは口開部のある一端と、吊り手のある他端とを結ぶ方向に割れ目を有する右半ボックスと、左半ボックスとの二つの半ボックスを一対にし、上記二つの半ボックスの両側に存在する割れ目を開閉自在に合着することにより上記ボックスを構成し、しかも上記二つの半ボックスの合着の状態は、一方の割れ目を屈曲自在に肉薄の連結部で開閉を自在に連結し、他方の割れ目は、そこに備えさせる掛け具と止め具を用いて開閉を自在に連結し、さらに上記ボックスにおける上記一端の口開部と、上記他端の吊り手との間の周囲には結線束が挿入された状態のボックスを横長状態で造営材に結び付ける為に複数の吊り孔を有する吊り手を備えさせ、
さらに上記一方の半ボックスにおいては、上記口開部よりも少し奥部で上記電線ケーブルの外装部分の一部分を位置させる箇所の周壁に、収納する上記電線の外装部分の一部分を、二つの半ボックスを解放させた状態で結線バンドを用いて半ボックスにおける周壁内面に締め付け定着させる為に上記結線バンド挿通用の結束長孔を複数設けていることを特徴とするジョイントボックス。
【発明の詳細な説明】
【０００１】
【発明の属する技術分野】
本願は電気配線工事における結線束の絶縁カバーに用いるジョイントボックスに関するものである。
【０００２】
【従来の技術】
従来のアウトレットボックス、プールボックス、ジョイントボックス等と称されているものは、結線数の多少にかかわらず、結線後、結線部分を握り、むりやり折り曲げ、狭いボックス内に押し込め、更にその上に蓋をねじ込み密閉するなど、何れのボックスにおいても結線部分及びその電線ケーブルの外装を剥離した電線を折り曲げ、圧迫し、或いは損傷することがあるなど、導電効果を弱めるとともに、折り曲げるために多数の結線束が収納できず、ボックス自体の取り付け作業に手間取るなど多くの問題点があった。
【０００３】
【発明が解決しようとする課題】
そこで本願は、スリーブ又はコネクタなどで結線後、その結線束を折り曲げること無く、ほぼ真っ直のまま収納し、結線束下部の電線ケーブル部分とボックスを結束して結線束を安定的に保護しても、そのボックスは縦、横自在に任意の方向に向け造営材に結び付け又は吊り止めることができるようにしたジョイントボックスを提供しようとするものである。
【０００４】
【課題を解決するための手段】
本願発明のジョイントボックスは、内側に、複数の電線における結線部分と、結線束と、電線ケーブルの外装部分の一部分とを真っ直ぐな状態のまま収納できるような空間を備える細長い形状のボックスには、それの一端に上記結線束を挿入する為の口開部を設けると共に、他端には、結線束が挿入された状態のボックスを縦長状態で造営材に結び付け、又は、掛け止め可能にする為の吊り手を備えさせ、さらに上記ボックスにおける上記一端の口開部と、上記他端の吊り手との間の周囲には結線束が挿入された状態のボックスを横長状態で造営材に結び付け、又は、掛け止め可能にする為の吊り手を備えさせ、さらに上記口開部よりも少し奥部で上記電線ケーブルの外装部分の一部分を位置させる箇所の周壁には、収納する上記電線の外装部分の一部分を結線バンドを用いて周壁内面に締め付け定着させる為に上記結線バンド挿通用の結束長孔を設けている。
【０００５】
【発明の実施の形態】
ジョイントボックスの成型は、複数の電線ケーブル外装を規定の長さ切除し、その先端を分岐接続後、やや真っ直のままの結線束を収納できる長さのボックスに成型する。ジョイントボックスの口開部から少し入った位置の前後両面には共通する結束長孔を並設し、挿入した結線束下部の電線ケーブルと共に、結束長孔に通した結束バンド等の結束部材で結んで固定し、ボックスの上部及び左右に吊り孔を並設した吊り手の何れかと造営材（吊りボルト等）を結び付けて固定するものである。
【０００６】
さらに、ジョイントボックスが細長く二分割し開閉可能に成した分割ボックスの場合は、左右何れか一方の半ボックスに限り結束長孔を設け、ボックスを開いた状態で結線束を添わせて結束し、他方の半ボックスを閉じ止めてカバーする。或いは、一方の半ボックスには何も設けず、他方の半ボックスの口開部から少し入った位置に複数の止めピンを設け、結線束を収納後閉じると、その止めピンが電線ケーブル外装に形成した屈曲部に阻止され結線束は抜け止まる。
【０００７】
ジョイントボックスは、主として自消性、絶縁性、耐電圧等電気的性能に優れ、使用後の結線状態を目視可能にするため透明性を有し、更に、収納した結線束下部の電線ケーブル外装部分とボックスとを一括して結束し得るために必要な柔軟性等を有する樹脂材を用いて成型する。全体形状は、図６、図７から明らかなように細長い長方形をなし、上部及び左右側部には造営材に止め付ける吊り手に吊り孔を並設し、複数の電線端末を接続した結線束を殆ど真っ直のままで差し入れ又は添わせ、結束長孔に結束バンド等の結束部材を通し一括して結束し、結線後の結線束には何らの圧力、衝撃を与えず電気的安定を著しく向上させるとともに、絶縁カバー作業を簡易化する。
【０００８】
図８に示す分割ボックスにおいては、左右の半ボックスを開いたままで結線束を添わせ結束し、一方又は両方の半ボックスに止めピンを設け、結線束を一方の半ボックスに添わせた後閉じ止めるものであり、左右の半ボックスが殆ど変形することなく、一組の掛け具と止め具が正常な形状を保って掛かり、容易に開放しない程度の硬質材を用いて成型し、肉厚薄く形成した連結部の作用により開閉を繰返し、作業性を向上させ、再使用を可能としたものである。
【０００９】
本願の実施例を示す図１〜図８について説明する。矢印Ａは結線束であり、複数の電線を分岐結線した束である。1-Aは一体ボックスであり、ほぼ四角形の穴を成型した長方形の透明ジョイントボックス本体である。２は口開部であり、結線束Ａを差し入れる口である。３は吊り手であり、一体ボックス1-A及び図８の分割ボックスの上側部及び左右両側部などに設け、造営材１３に結び付け又は掛け止める。４は吊り孔であり、吊り手３に複数成型し、この二つの孔に結束部材１１を通し安定的に造営材１３と共に結束し、又は吊り止める。５は口開縁部であり、口開部２の縁部の肉厚を太く成型し、軟質による口開部２の形状変形を防ぎ、結線束Ａを差し入れ易くするとともに、保管中または運搬中の圧力などによる変形を防ぐ。６は結束長孔であり、口開部２の少し奥部の表面部９及び吊り手側面８に共通して並設したもので、横に長く形成したことにより、収納した結線束Ａに結束部材１１の当接を避けて通すことが可能となり、作業性を良くたものである。７は長孔縁部であり、結束長孔６の周囲の縁を厚く成型して孔の強度を増し変形を防ぐ。８はボックスにおける吊り手側の面であり、造営材１３に吊り手３を結び付け又は掛け止めた場合の抗張力に耐へるとともに、造営材１３との接触による絶縁効果を高めるため他の側面より肉厚く成型したものである。９は表面側であり、吊り手側の面８より少し薄く成型し、正面より目視した場合、内包する結線状態が鮮明に目視可能にしてある。
【００１０】
１０は周知の電線ケーブル外装であり、結線束Ａの下方に位置する。１１は結束バンドである。１２は屈曲部であり、結束長孔６の奥部に位置する電線ケーブル外装１０の１線以上を少し折り曲げ屈曲部分を形成し、結束部材がこの部分に阻止されて越えられず、結果的に結線束Ａが抜け止まり定着する。１３は造営材であり、図示のものは通称吊りボルトと言い、様々な形状の物が使用されており、吊り孔４に通した結束部材でこれらの造営材１３と共に結束止着し、又は吊り止める配線位置の物体である。１４は周知のように、図３に示される電線１０の先端部分１５を図６のように結線する為に、電線１０の外装部分を剥離したものであり、先端の結線部分１５と電線ケーブル１０の外装部分の切断された上部部分との間の外装のみ切除した部分である。これは結線束Ａの一部分である。１５はコネクタであり、分岐結線する端子で、リングスリーブを用いる場合もある。
【００１１】
図８は分割ボツクスを示し、右半ボックス１−Ｂ及び左半ボックス１−Ｃに分割成型し、自在に屈曲する肉厚薄の連結部１６を基軸に開閉を自在にする。
右半ボックス１−Ｂは、開閉可能に縦に二分割した右側の半ボックス。左半ボックスは、右半ボックス１−Ｂと一組みをなす左側の半ボックスである。
【００１２】
１６は連結部であり、右半ボックス１−Ｂと左半ボックス１−Ｃとを一体成型して連結したもので、この部分は肉厚薄く成型することにより硬質材を用いても容易に開閉の繰返しを可能とし、右半ボックス１−Ｂ及び左半ボックス１−Ｃの二つを一対とし開閉自在の一個の透明ジョイントボックスを成す。１７は掛け具であり、他方の止め具１８と一組みの閉じ止め装置をなし、右半ボックス１−Ｂと左半ボックス１−Ｃが正常な形状を保って閉じ、自動的に先端が掛かり抜け止まり得る強度の硬質樹脂材を用いる。一旦閉じ止めた後に開放する場合は、止め具１８の付け根当たりを少し力強く押し圧し引き離す操作で外れ開放する。この装置を一定の間隔に複数設けておけば、完全に閉じた状態を保つ。１９は止めピンであり、何れか片方又は左右半ボックスの口開部２の少し奥部に当たる位置に複数設け、結線束Ａを添わせ閉じると、屈曲部１２の前部に位置し、結線束Ａは何んら手を加えずしてその屈曲部１２に阻止され抜け止まるものである。
【００１３】
ジョイントボックスを用いる場合、分岐結線後の結線部分１５を含む結線束Ａをボックスに収納を目的に曲げることなく、ほぼ真っ直に結線したままの状態で口開部２から差し入れ得るように、一体ボックス1-A自体の形状をほぼ長方形に成型し、他の物体に接触しても支障のない電線ケーブル外装１０の部分を口開部２の少し奥の位置で共に結束部材により結束し、ほぼ、くの字をなす屈曲部１２に、結束した結束部材が阻止され結線束Ａを抜け止め、結線部分及び剥離された電線１４は全く損傷すること無く、多数の分岐結線による結線束Ａが収納可能であり、結線後触れる必要なく、したがって導電機能を劣化させること無く、電気的安全性が著しく永続的に保たれるなど多くの特徴を有する。
【００１４】
ジョイントボックスは、造営材１３に対して縦横など任意の方向に向けて設置可能に上部及び左右に吊り手３を設け、結束部材で造営材１３に結び付け又は吊り孔４に造営財１３を掛けるだけで総ての設置作業が完了するなど作業性が著しく向上する。
また、ジョイントボックス1-Aの材質は絶縁性、耐電圧、自消性に優れ、透明であり外部から結線状態が目視点検ができ、柔軟性を有するため電線ケーブル外装１０を結束した場合、結束する両面をはじめ全体が結線束Ａに良く馴染み損傷する懸念がなくなった。口開縁部５を肉厚太く成型して耐圧力を増し、柔軟性による変形を阻止するとともに、吊り手３を設けた吊り手側面８を肉厚に成型して抗張力を補強する。
結束長孔６は、横に長く成型し、結束バンド１１が結線束Ａに当接しないよう離れた位置から差し込み可能となり非常に結束し易くなった。
【００１５】
分割ボックスは、結線束Ａを結束する場合、開いたままで結束バンド１１を右半ボックス１−Ｂの結束長孔６に限り通せば直接結束できるので結束し易く、結線部分の補修及び分岐または増設する場合は左半ボックス１−Ｃを開放すれば、結束部材を切除解体することなく作業可能であり、さらに結束長孔６を設ける代わりに、何れか一方の半ボックス又は結束長孔６の代わりに左右両方の半ボックスに止めピン１９を複数設ければ、結線束Ａを添わせた後閉じるだけで屈曲部１２が止めピン１９に阻止され結束操作無用で固定でき、作業性が著しく向上する。
【００１６】
分割された半ボックスの材質は、絶縁性、耐電圧、自消性、透明性に優れ、連結部１８を肉厚薄く成型し屈曲可能な程度の硬質樹脂を用いることにより全体を堅固になし、二分割しても左右両半ボツクスが変形することなく安定し、一組みの掛け具１７止め具１８が確実に施錠し、開く場合は止め具１８の付け根当たりを少しし強く押し圧すれば開錠し、いわゆる開閉自在であるなど作業性に優れている。
【００１７】
図１〜図８に示されるジョイントボックスは、電気配線工事において、分岐結線してなる結線部分及びその電線の結線束を曲げること無く、ほぼ真っ直のままで収納し得る内径と長さの一体ボックスに成型し、その上部又は側部には造営材に結び付け又は掛け止め得る吊り手を設け、口開部の少し奥部には、差し入れた結線束下部の電線ケーブル外装をボックスと共に結束し得るよう、前後側面に共通する結束長孔を並設し、ボックスの材質は、収納した結線束下部の電線ケーブル外装と共に結束部材で結束し得る程度の柔軟性を有し、口開縁部は肉厚太くなし柔軟性による口開部の変形を防止する。
【００１８】
また図８のジョイントボックスは、ボックスを開閉可能に一体成型又は個別成型などにより左右二つの半ボックスに分割成型し、その何れか一方の半ボックス下方に結束長孔を並設し、開いた状態で結線束下部の電線ケーブル外装と共に結束した後、他方の半ボックスを閉じ、一対の掛け具と止め具が組み合い抜け止まるに足る硬質樹脂材を用いて成型し、又は開いた状態の何れか一方の半ボックス又は両方の半ボックスの口開部の少し奥部に複数の止めピンを設け、結線束下部の電線ケーブル外装の屈曲部が止めピンに阻止され結線束が抜け止まる。
【００１９】
【発明の効果】
複数箇所から、複数の電線相互を結線する為に一箇所に向けて集められた複数の電線束（例えば図６又は図７に集められている集合させた電線１０の束）が、結線場所（造営材１３のある場所）において図６のように上向き状態で集められて束ねられた場合においても、また図７のように横向き状態で集められ、束ねられた場合においても、集められた複数電線１０の束の向きに対応して、ボックス1-Aの向きを図６のように上下縦方向に向けたり、図７のように左右横方向に向けたりして、上記集合させた電線１０の束の集合方向を、大きな力を加えたり、苦労しながら大きく曲げる必要性はなく、ボックス1-Aの内に労少なく受け入れできる作業能率向上に係わる効果がある。
しかも上記のボックス1-Aにあっては、内側には、複数の電線における結線部分１５と、結線束Ａと、電線ケーブルの外装部分の一部分とを真っ直ぐな状態のまま収納できるような空間を備えるものであるから、上記のように上記集合させた電線１０の束の集合方向を大きく曲げなくてよいばかりか、これらの先に形成される結線部分１５も、結線束Aも電線ケーブルの外装部分の一部分も全て曲げなくてよいから、従来発生していた、電線折り曲げに伴う折損事故、導電効果の低減等の諸問題点が解決できる効果がある。
【００２０】
さらに上記ボックスは口開部のある一端と、吊り手のある他端とを結ぶ方向に割れ目を有する右半ボックスと、左半ボックスの二つの半ボックスを一対にし、上記二つの半ボックスの割れ目をそこに備えさせる掛け具と止め具を用いて合着することにより上記ボックスを構成しているので、分割された半ボックスの成型加工は、開いた状態で成型可能であるため、成型加工技術が非常に安易で、量産可能であり経済性に優れるなどの効果を有する。
【００２１】
【図面の簡単な説明】
【図１】一体ボックス1-Aの正面図。
【図２】一体ボックス1-Aの一部断面を示す右側面図。
【図３】一体ボックス1-Aに結線束Ａを収納し結束した状態を示す一部Ａ−Ａ断面図。
【図４】一体ボックス1-Aの一部平面図。
【図５】一体ボックス1-Aの一部底面図。
【図６】一体ボックス1-Aを縦に使用した状態を示す正面図。
【図７】一体ボックス1-Aを横に使用した状態を示す正面図。
【図８】分割ボックスＤを開放した状態を示す斜視図。
【符号の説明】
矢印Ａ 結線束Ａ
1-A 一体ボックス
１−Ｂ 右半ボックス
１−Ｃ 左半ボックス
２ 口開部
３ 吊り手
４ 吊り孔
５ 口開縁部
６ 結束長孔
７ 長孔縁部
８ 吊り手側面
９ 表側面
１０ 電線ケーブル外装
１１ 結束バンド
１２ 屈曲部
１３ 造営材
１４ 剥離電線
１５ コネクタ
１６ 連結部
１７ 掛け具
１８ 止め具
１９ 止めピン